(57)【要約】【課題】施工容易かつ外壁板の留め付け強度に優れた外壁施工構造を提供すること。【解決手段】構造躯体２に直接に或いは既存壁を介して構築された金属下地組３０に、留め付け金具５により、複数の外壁板４を留め付けてなる外壁施工構造１。金属下地組３０は、複数の金属製縦胴縁３を、構造躯体２に固定してなる。留め付け金具５は基板部５１と支承部５２と上板係止部５３及び下板係止部５４とを有する。外壁板４の左右接合部４１の後方には接合部用金属製縦胴縁３が２本並行して配設されている。左側に配設された接合部用金属製縦胴縁３には、左側の外壁板４の右端部４５における上辺及び下辺に係止される留め付け金具５が固定されており、右側に配設された接合部用金属製縦胴縁３には、右側の外壁板４の左端部４４における上辺及び下辺に係止される留め付け金具５が固定されている。【選択図】図１
2005155217.tif 000002
【特許請求の範囲】
【請求項１】
建物の構造躯体に直接に或いは既存壁を介して構築された金属下地組に、留め付け金具により、複数の外壁板を留め付けてなる外壁施工構造であって、
上記金属下地組は、複数の金属製縦胴縁を、上記構造躯体に固定してなり、
上記留め付け金具は、上記金属製縦胴縁に固定される基板部と、該基板部から前方に立設された支承部と、該支承部から斜め上方に屈曲し上側の外壁板の下辺に係止される上板係止部と、上記支承部から斜め下方に屈曲し下側の外壁板の上辺に係止される下板係止部とを有し、
左右に隣合う２枚の外壁板の左右接合部の後方には、上記複数の金属製縦胴縁のうちの接合部用金属製縦胴縁が２本並行して配設されており、
その２本のうちの左側に配設された上記接合部用金属製縦胴縁には、左側の上記外壁板の右端部における上辺及び下辺に係止される上記留め付け金具が固定されており、右側に配設された上記接合部用金属製縦胴縁には、右側の上記外壁板の左端部における上辺及び下辺に係止される上記留め付け金具が固定されていることを特徴とする外壁施工構造。
【請求項２】
請求項１において、上記金属製縦胴縁は、平板状の背板と、該背板の幅方向の端部から前方へ立設された一対の立設板と、各立設板の前端から互いに向き合う方向に屈曲された一対の前板とを有すると共に、各前板の先端部の間には前面開口部が一定の幅をもって上下方向に連続形成されており、
上記２本の接合部用金属製縦胴縁のうち、左側に配設される接合部用金属製縦胴縁については、左側の上記前板を横方向の幅の狭い幅狭前板とし、右側の上記前板を左側の上記幅狭前板よりも横方向の幅が広い幅広前板としており、
右側に配設される接合部用金属製縦胴縁については、右側の上記前板を横方向の幅の狭い幅狭前板とし、左側の上記前板を右側の上記幅狭前板よりも横方向の幅が広い幅広前板としていることを特徴とする外壁施工構造。
【請求項３】
請求項２において、上記留め付け金具は、その背面側に設けた係合板を、上記金属製縦胴縁における上記前面開口部に嵌め込み、上記一対の前板に係合させることにより、該金属製縦胴縁に固定されていることを特徴とする外壁施工構造。
【請求項４】
請求項２又は３において、上記接合部用金属製縦胴縁は、上記幅広前板の後方及び上記前面開口部の後方における上記背板に、上記接合部用金属製縦胴縁を上記構造躯体にビス留め固定するビスを通すためのビス穴を設けてなり、該ビス穴の前方の上記幅広前板には、上記ビス穴よりも大きいビス導入穴が形成されていることを特徴とする外壁施工構造。
【請求項５】
請求項２〜４のいずれか一項において、左右に隣合う上記外壁板の左右接合部には、前方に突出した頂面を中央部分に有するハットジョイナーが配設されており、該ハットジョイナーは、並行配置された２本の上記接合部用金属製縦胴縁における上記幅広前板の前面にまたがるように配設され、更に、上記ハットジョイナーの上記頂面にはシーリング材が上記左右接合部を埋めるように打設してあることを特徴とする外壁施工構造。
【請求項６】
請求項３〜５のいずれか一項において、上記留め付け金具は、上記係合板を上記一対の前板に係合させる際の上記係合板の動きを前方から視認するための視認用開口部を有することを特徴とする外壁施工構造。
【請求項７】
請求項３〜６のいずれか一項において、上記留め付け金具は、背面に突出した背面リブを円環状又は円弧状に形成してなり、該背面リブの外周面が、上記金属製縦胴縁における上記前面開口部に嵌め合わされていることを特徴とする外壁施工構造。
【発明の詳細な説明】
【技術分野】
【０００１】
本発明は，建物の構造躯体に固定した金属下地組に複数の外壁板を留め付けてなる外壁施工構造に関する。
【背景技術】
【０００２】
従来より、建物の構造躯体に複数の金属製縦胴縁を固定してなる金属下地組に、複数の外壁板を留め付けてなる外壁施工構造がある（特許文献１、２参照）。
該従来の外壁施工構造においては、専用の留め付け金具を用いて上記外壁板を金属下地組に留め付けている。そして、左右に隣り合う上記外壁板の左右接合部においては、左右の外壁板の双方に係合すると共に一つの金属製縦胴縁に固定される専用の留め付けユニットが配設されている。
該留め付けユニットは、横長形状の固定下板に、２個の留め付け金具を左右に並列配置して固定してなる。
【０００３】
そして、例えば左下側から順に外壁板を留め付けていく場合には、以下のごとく上記留め付けユニットを配設する。即ち、上記金属下地組に第１の外壁板を配置し、該外壁板の右端部の上辺に上記留め付けユニットの一方の留め付け金具を係合させる。次いで、上記第１の外壁板の右側に第２の外壁板を配設する。この際、上記留め付けユニットの他方の留め付け金具に、上記第２の外壁板の上辺を係合させるように、該外壁板を左方に、即ち真横にスライドさせて配設する。
【０００４】
しかしながら、上記のごとく、既に金属胴縁に配設した上記留め付けユニットの留め付け金具に上辺を係合させるように、上記第２の外壁板を真横にスライドさせて配設することは容易ではない。即ち、上記第２の外壁板の上辺を係合させるべき留め付け金具が、既に定位置に固定されているために、真横から第２の外壁板をスライドさせた場合に、該留め付け金具に衝突するおそれがあることから、その作業は必ずしも容易であるとはいえないのである。
そのため、施工効率が低減するという問題がある。
【０００５】
また、上記従来の外壁施工構造においては、上記留め付けユニットが横方向に長く、左右２枚の外壁板をまたぐようにして配設されるため、先に下側に配設された左右の外壁板に少しでも上下方向のずれがあると、上記留め付けユニットを確実に外壁板に係合させることが困難となるおそれがある。そのために、外壁板の留め付け強度を充分に確保することが困難となるおそれがある。
【０００６】
【特許文献１】特開２００３−１２９６３８号公報
【特許文献２】特開２００３−２１３８８５号公報
【発明の開示】
【発明が解決しようとする課題】
【０００７】
本発明は、かかる従来の問題点に鑑みてなされたもので、施工容易かつ外壁板の留め付け強度に優れた外壁施工構造を提供しようとするものである。
【課題を解決するための手段】
【０００８】
本発明は、建物の構造躯体に直接に或いは既存壁を介して構築された金属下地組に、留め付け金具により、複数の外壁板を留め付けてなる外壁施工構造であって、
上記金属下地組は、複数の金属製縦胴縁を、上記構造躯体に固定してなり、
上記留め付け金具は、上記金属製縦胴縁に固定される基板部と、該基板部から前方に立設された支承部と、該支承部から斜め上方に屈曲し上側の外壁板の下辺に係止される上板係止部と、上記支承部から斜め下方に屈曲し下側の外壁板の上辺に係止される下板係止部とを有し、
左右に隣合う２枚の外壁板の左右接合部の後方には、上記複数の金属製縦胴縁のうちの接合部用金属製縦胴縁が２本並行して配設されており、
その２本のうちの左側に配設された上記接合部用金属製縦胴縁には、左側の上記外壁板の右端部における上辺及び下辺に係止される上記留め付け金具が固定されており、右側に配設された上記接合部用金属製縦胴縁には、右側の上記外壁板の左端部における上辺及び下辺に係止される上記留め付け金具が固定されていることを特徴とする外壁施工構造にある（請求項１）。
【０００９】
次に、本発明の作用効果につき説明する。
上記外壁施工構造においては、上記接合部用金属製縦胴縁を２本並行して配設してあり、それぞれの接合部用金属製縦胴縁に固定した留め付け金具によって、左右接合部の左側の外壁板の右端部と、右側の外壁板の左端部とをそれぞれ留め付けている。そのため、左側の外壁板と右側の外壁板とを個別の留め付け金具によって留め付けることができる。それ故、各外壁板を金属下地組に配設する作業を容易に行うことができる。
【００１０】
また、異なる接合部用金属製縦胴縁に固定した留め付け金具によって、左右接合部の左側の外壁板の右端部と、右側の外壁板の左端部とがそれぞれ留め付けられている。そのため、左右の外壁板の上辺や下辺が上下方向に多少ずれていても、それぞれの上記留め付け金具によって、左右の外壁板をそれぞれ確実に係止することができる。それ故、上記外壁板の留め付け強度を確保することができる。
【００１１】
以上のごとく、本発明によれば、施工容易かつ外壁板の留め付け強度に優れた外壁施工構造を提供することができる。
【発明を実施するための最良の形態】
【００１２】
本発明（請求項１）において、上記外壁施工構造は、新築用、リフォーム用のいずれにも用いることができる。後者の場合、金属製縦胴縁は、既存モルタル壁や既存サイディング壁等の既存壁を介して構造躯体に固定される。
また、上記金属下地組は、上記構造躯体に対して、複数の金属製縦胴縁を固定することにより構築される。この金属製縦胴縁には２種類あり、その一つは、左右に配される外壁板の左右接合部に配設される接合部用金属製縦胴縁であり、もう一つは、上記左右接合部以外の部分に配設される金属製縦胴縁である。
【００１３】
なお、本明細書においては、建物の外側方向を「前」として表現する。また、各部材についても、建物の構造躯体に配設された状態を基準として、前後、左右、上下を表現する。
【００１４】
また、上記金属製縦胴縁は、平板状の背板と、該背板の幅方向の端部から前方へ立設された一対の立設板と、各立設板の前端から互いに向き合う方向に屈曲された一対の前板とを有すると共に、各前板の先端部の間には前面開口部が一定の幅をもって上下方向に連続形成されており、
上記２本の接合部用金属製縦胴縁のうち、左側に配設される接合部用金属製縦胴縁については、左側の上記前板を横方向の幅の狭い幅狭前板とし、右側の上記前板を左側の上記幅狭前板よりも横方向の幅が広い幅広前板としており、
右側に配設される接合部用金属製縦胴縁については、右側の上記前板を横方向の幅の狭い幅狭前板とし、左側の上記前板を右側の上記幅狭前板よりも横方向の幅が広い幅広前板としていることが好ましい（請求項２）。
【００１５】
この場合には、上記留め付け金具を容易かつ確実に上記接合部用金属製縦胴縁に固定することができる。また、上記留め付け金具を上記接合部用金属製縦胴縁に対して容易にスライド移動させることができるため、位置合せが容易であり、外壁板を容易かつ確実に留め付けることができる。
また、左側の接合部用金属製縦胴縁における右側の前板と、右側の接合部用金属製縦胴縁における左側の前板とを、上記幅広前板としている。これにより、各接合部用金属製縦胴縁に固定した上記留め付け金具の間に充分な間隔を設け、左右の外壁板をそれぞれ確実に留め付けることができると共に、２つの留め付け金具の間に、ハットジョイナー等の部材を容易に配設することができる。
【００１６】
また、上記留め付け金具は、その背面側に設けた係合板を、上記金属製縦胴縁における上記前面開口部に嵌め込み、上記一対の前板に係合させることにより、該金属製縦胴縁に固定されていることが好ましい（請求項３）。
この場合には、上記留め付け金具を上記金属製縦胴縁に容易かつ確実に固定することができる。
【００１７】
また、上記接合部用金属製縦胴縁は、上記幅広前板の後方及び上記前面開口部の後方における上記背板に、上記接合部用金属製縦胴縁を上記構造躯体にビス留め固定するビスを通すためのビス穴を設けてなり、該ビス穴の前方の上記幅広前板には、上記ビス穴よりも大きいビス導入穴が形成されていることが好ましい（請求項４）。
この場合には、上記接合部用金属製縦胴縁を容易かつ確実に上記構造躯体に固定することができる。
【００１８】
また、左右に隣合う上記外壁板の左右接合部には、前方に突出した頂面を中央部分に有するハットジョイナーが配設されており、該ハットジョイナーは、並行配置された２本の上記接合部用金属製縦胴縁における上記幅広前板の前面にまたがるように配設され、更に、上記ハットジョイナーの上記頂面にはシーリング材が上記左右接合部を埋めるように打設してあることが好ましい（請求項５）。
この場合には、上記左右接合部から雨水が浸入することを確実に防ぐことができる。
【００１９】
また、上記留め付け金具は、上記係合板を上記一対の前板に係合させる際の上記係合板の動きを前方から視認するための視認用開口部を有することが好ましい（請求項６）。
この場合には、上記留め付け金具を金属下地組にネジ止め固定する作業を、容易かつ確実に行うことができる。
【００２０】
また、上記留め付け金具は、背面に突出した背面リブを円環状又は円弧状に形成してなり、該背面リブの外周面が、上記金属製縦胴縁における上記前面開口部に嵌め合わされていることが好ましい（請求項７）。
この場合には、上記留め付け金具を、上記接合部用金属製縦胴縁に対して正確な位置に固定することができる。また、上記背面リブが円環状又は円弧状に形成してあるため、上記留め付け金具を上記接合部用金属製縦胴縁に対して回動自在な状態で固定作業を行うことができる。それ故、接合部用金属製縦胴縁と外壁板とが互いに多少傾斜した状態にある場合にも、留め付け金具を正しい姿勢で配設することができる。従って、一層容易かつ確実に外壁施工構造を構築することができる。
【実施例】
【００２１】
本発明の実施例にかかる外壁施工構造につき、図１〜図１１を用いて説明する。
上記外壁施工構造１は、図２に示すごとく、建物の構造躯体２に構築された金属下地組３０に、留め付け金具５によって複数の外壁板４を留め付けてなる。
上記金属下地組３０は、複数の金属製縦胴縁を、上記構造躯体２に固定してなる。
【００２２】
上記金属製縦胴縁には、図１〜図５に示すごとく、それぞれ上記外壁板４を上記金属下地組３０に留め付けるための専用の留め付け金具５が固定されている。
該留め付け金具５は、図３〜図５に示すごとく、上記金属製縦胴縁に当接する基板部５１と、該基板部５１から前方に立設された支承部５２と、該支承部５２から斜め上方に屈曲し上側の外壁板４の下辺４３に係止される上板係止部５３及び斜め下方に屈曲し下側の外壁板４の上辺４２に係止される下板係止部５４とを有する。
【００２３】
図１に示すごとく、左右に隣合う２枚の外壁板４の左右接合部４１の後方には、上記金属製縦胴縁のうちの接合部用金属製縦胴縁３が２本並行して配設されている。
その２本のうちの左側に配設された上記接合部用金属製縦胴縁３には、左側の外壁板４の右端部４５における上辺４２及び下辺４３に係止される留め付け金具５が固定されている。右側に配設された接合部用金属製縦胴縁３には、右側の外壁板４の左端部４４における上辺４２及び下辺４３に係止される留め付け金具５が固定されている。
【００２４】
上記留め付け金具５は、図２、図３に示すごとく、それぞれ、上記下板係止部５４によって下側の上記外壁板４の上辺４２を係止し、上記支承部５２によって上側の上記外壁板の下辺４３を支承すると共に該下辺４３を上記上板係止部５３によって係止している。
即ち、上記下板係止部５４が、下側の外壁板４の上辺４２に設けた上部下実４２１を係止する。また上記支承部５２が、上側の外壁板４の下辺４３に設けた下部上実４３１の後方の下部係合部４３２を支承し、上記上板係止部５３が、該下部係合部４３２を係止する。
そして、上下の外壁板４は、上記上部下実４２１と下部上実４３１とによる上下合決りにより接合されている。
【００２５】
本例の外壁施工構造１は、リフォーム用の外壁施工構造として構築される。この場合、図２に示すごとく、金属下地組３０は、構造躯体２に対して構築されたモルタル壁やサイディング壁などの既存壁４０を介して金属製縦胴縁を構造躯体２に固定することによって構築される。なお、本発明の外壁施工構造は新築用として構築することもできる。
【００２６】
また、上記金属下地組３０は、上記構造躯体２に複数の金属製縦胴縁を固定することにより構築される。そして、該金属製縦胴縁のうちで外壁板４の左右接合部４１の後方に配置されるものを、上記接合部用金属製縦胴縁３とする。該接合部用金属製縦胴縁３以外の金属製縦胴縁においても、上記と同様の留め付け金具５によって外壁板４をその左右端部以外の部分において留め付けている。
【００２７】
また、図１に示すごとく、外壁板４の左右接合部４１には、ハットジョイナー１１を接合部用金属製縦胴縁３の前面に当接させて配設すると共に、左右接合部４１を埋めるように、上記ハットジョイナー１１の頂面１１１にシーリング材１２を打設してなる。これにより、上記左右接合部４１からの雨水の浸入を確実に防ぐことができる。
【００２８】
また、図７に示すごとく、上記接合部用金属製縦胴縁３は、平板状の背板３１と、該背板３１の幅方向の端部から前方へ立設された一対の立設板３２と、各立設板３２の前端から互いに向き合う方向に屈曲された一対の前板３３，３３０とを有する。
図３、図５に示すごとく、上記留め付け金具５は、その背面側に設けた係合板５５を、上記接合部用金属製縦胴縁３における上記一対の前板３３，３３０に係合させることにより、該接合部用金属製縦胴縁３に固定されている。
【００２９】
即ち、上記係合板５５は、留め付け金具５の基板部５１に挿通した固定ネジ５５１に螺合されている。そして、図９に示すごとく、上記係合板５５を上記接合部用金属製縦胴縁３の前板３３、３３０の間から該前板３３，３３０の後方へ押し込む。そして、その状態から上記固定ネジ５５１を回転させることにより、図１０、図１１に示すごとく上記係合板５５も回動し、上記前板３３，３３０に係合される。
【００３０】
また、上記係合板５５は、図３、図６に示すごとく、上記固定ネジ５５１のネジ溝５５２に嵌合させる嵌合爪５５３を設けてなる。該嵌合爪５５３がネジ溝５５２に嵌合することにより、固定ネジ５５１の緩みを防止して、外壁施工構造１の耐久性の向上を図っている。
【００３１】
また、図１、図４、図７に示すごとく、上記一対の前板３３、３３０は、互いに幅が異なっており、幅の狭い幅狭前板３３と幅の広い幅広前板３３０とからなる。
そして、図１に示すごとく、上記接合部用金属製縦胴縁３を２本並列配置する際には、上記幅広前板３３０同士が隣接するように配置する。これにより、各接合部用金属製縦胴縁３に固定した留め付け金具５の間に充分な間隔を設け、その間に上記ハットジョイナー１１を配設できるようにしている。
【００３２】
また、図７に示すごとく、上記接合部用金属製縦胴縁３は、上記背板３１にビス穴３１１を設けてなり、該ビス穴３１１にビス１３を通して上記構造躯体２に上記接合部用金属製縦胴縁３を固定している（図１）。
上記ビス穴３１１は、上記接合部用金属製縦胴縁３の端部付近に２個形成されており、そのうちの１個は、上記一対の前板３３、３３０の間の前面開口部３４の後方に形成されている。他の１個は、幅広前板３３０の後方に形成されている。そして、このビス穴３１１の前方における上記幅広前板３３０には、上記ビス穴３１１にビス１３を配置したりビスねじ込み用のドライバ等を挿通させたりするためのビス導入穴３３１が形成されている。
【００３３】
本例においては、幅広前板３３０の後方におけるビス穴３１１のみにビス１３を通して接合部用金属製縦胴縁３を構造躯体２に固定しているが、前面開口部３４の後方におけるビス穴３１１にもビスを通して固定してもよい。
【００３４】
また、上記接合部用金属製縦胴縁３は、厚み１．２ｍｍ程度のアルミニウム・マグネシウム合金メッキ鋼板からなる。そして、上記接合部用金属製縦胴縁３の左右幅は約９０ｍｍ、長さは約３０３０ｍｍである。
また、上記留め付け金具５の材質は、上記接合部用金属製縦胴縁３と同様であり、厚み約１．０ｍｍの鋼板を用いている。
【００３５】
また、図４に示すごとく、上記留め付け金具５は、上記係合板５５が回転している様子を上記留め付け金具５の前方から視認するための視認用開口部５６を有する。
また、図８に示すごとく、上記留め付け金具５は、背面に突出した背面リブ５７を円弧状に形成してなる。該背面リブ５７の外周面は、上記接合部用金属製縦胴縁３における一対の上記前板３３，３３０の間にその長さ方向に連続形成された前面開口部３４に嵌め合わされている。
また、接合部用以外の金属製縦胴縁に対しても、留め付け金具５は上記と同様の状態で固定されている。
【００３６】
また、図４、図５に示すごとく、上記基板部５１には、前方へ隆起した連続隆起部５１１が、その左右辺及び下辺に沿って連続して絞り成形されている。そして、図３に示すごとく、該連続隆起部５１１に、上記外壁板４の裏側面４６が当接している。
【００３７】
次に、本例の作用効果につき説明する。
上記外壁施工構造１においては、上記接合部用金属製縦胴縁３を２本並行して配設してあり、それぞれの接合部用金属製縦胴縁３に固定した留め付け金具５によって、左右接合部４１の左側の外壁板４の右端部４５と、右側の外壁板４の左端部４４とがそれぞれ留め付けられている。そのため、先に下側に配置される左側の外壁板４と右側の外壁板４とを個別の留め付け金具５によって互いに独立して留め付けることができる。それ故、各外壁板４を金属下地組３０に配設する作業を容易に行うことができる。
【００３８】
また、異なる接合部用金属製縦胴縁３に固定した留め付け金具５によって、左右接合部の左側の外壁板４の右端部４５と、右側の外壁板４の左端部４４とがそれぞれ留め付けられている。そのため、左右の外壁板４の上辺４２や下辺４３が上下方向に多少ずれていたとしても、それぞれの上記留め付け金具５によって、左右の外壁板４をそれぞれ確実に係止することができる。それ故、上記外壁板４の留め付け強度を確保することができる。
【００３９】
また、上記接合部用金属製縦胴縁３は、背板３１と一対の立設板３２と一対の前板３３，３３０とを有する。そして、上記留め付け金具５は、上記係合板５５を上記接合部用金属製縦胴縁３における一対の前板３３，３３０に係合させることにより、該接合部用金属製縦胴縁３に固定されている。これにより、上記留め付け金具５を容易かつ確実に上記接合部用金属製縦胴縁３に固定することができる。また、上記留め付け金具５を上記接合部用金属製縦胴縁３に対して容易に上下方向にスライド移動させることができるため、位置合せが容易であり、外壁板４を容易かつ確実に留め付けることができる。
【００４０】
また、上記接合部用金属製縦胴縁３は、上記ビス穴３１１を設けてなり、該ビス穴３１１にビス１３を通して上記構造躯体２に接合部用金属製縦胴縁３を固定している。そのため、上記接合部用金属製縦胴縁３を容易かつ確実に上記構造躯体２に固定することができる。
また、上記留め付け金具５は、上記係合板５５が回転している様子を視認するための視認用開口部５６を有する。そのため、上記留め付け金具５を金属下地組３０にネジ止め固定する作業を、容易かつ確実に行うことができる。
【００４１】
また、図８に示すごとく、上記留め付け金具５は背面リブ５７を円弧状に形成してなり、該背面リブ５７の外周面が接合部用金属製縦胴縁３における前面開口部３４に嵌め合わされている。これにより、上記留め付け金具５を、上記接合部用金属製縦胴縁３に対して正確な位置に固定することができる。また、上記背面リブ５７が円弧状に形成してあるため、上記留め付け金具５を上記接合部用金属製縦胴縁３に対して回動自在な状態で固定作業を行うことができる。それ故、接合部用金属製縦胴縁３と外壁板４とが互いに多少傾斜した状態にある場合にも、留め付け金具５を正しい姿勢で配設することができる。従って、一層容易かつ確実に外壁施工構造１を施工することができる。
【００４２】
以上のごとく、本例によれば、施工容易かつ外壁板の留め付け強度に優れた外壁施工構造を提供することができる。
【図面の簡単な説明】
【００４３】
【図１】実施例における、外壁施工構造の施工途中の状態を表す正面図。
【図２】実施例における、外壁施工構造の縦断面図。
【図３】実施例における、外壁施工構造の留め付け金具周辺の縦断面図。
【図４】実施例における、接合部用金属製縦胴縁に固定された留め付け金具の正面図。
【図５】実施例における、接合部用金属製縦胴縁に固定された留め付け金具の上面図。
【図６】実施例における、留め付け金具の背面図。
【図７】実施例における、接合部用金属製縦胴縁の斜視図。
【図８】実施例における、留め付け金具を接合部用金属製縦胴縁の前板の後方から見た説明図。
【図９】実施例における、接合部用金属製縦胴縁への留め付け金具の固定方法の説明図。
【図１０】図９に続く、留め付け金具の固定方法の説明図。
【図１１】図１０に続く、留め付け金具の固定方法の説明図。
【符号の説明】
【００４４】
１  外壁施工構造
２  構造躯体
３  接合部用金属製縦胴縁
３０  金属下地組
４  外壁板
４１  左右接合部
４２  上辺
４３  下辺
４４  左端部
４５  右端部
５  留め付け金具
５１  基板部
５２  支承部
５３  上板係止部
５４  下板係止部
【図１】
2005155217.tif 000003
【図２】
2005155217.tif 000004
【図３】
2005155217.tif 000005
【図４】
2005155217.tif 000006
【図５】
2005155217.tif 000007
【図６】
2005155217.tif 000008
【図７】
2005155217.tif 000009
【図８】
2005155217.tif 000010
【図９】
2005155217.tif 000011
【図１０】
2005155217.tif 000012
【図１１】
2005155217.tif 000013